(57)【特許請求の範囲】
【請求項１】
第１の通信装置に接続された非ＩＰ網を終端する複数の第１終端手段と、
第２の通信装置に接続されたＩＰ網を終端する複数の第２終端手段と、
前記第１終端手段にパスＩＤおよび接続先となる第２終端手段のアドレスを含むパス接続情報を出力し、前記第２終端手段にパスＩＤおよび接続先となる第１終端手段のアドレスを含むパス接続情報を出力することにより、前記第１の通信装置と前記第２の通信装置との呼を接続する接続手段とを備え、
前記第１終端手段は、前記パス接続情報を取得した場合に、接続先となる第２終端手段に対して前記パス接続情報に含まれるパスＩＤおよび前記第１終端手段のアドレスを格納した整合パケットを出力することにより、接続確認を実行し、
前記第２終端手段は、前記パス接続情報を取得した場合に、接続先となる第１終端手段に対して前記パス接続情報に含まれるパスＩＤおよび前記第２終端手段のアドレスを格納した整合パケットを出力することにより、接続確認を実行する
ことを特徴とするパス制御装置。
【請求項２】
前記第１終端手段に接続を解除する第２終端手段の情報を接続解除情報として出力し、前記第２終端手段に接続を解除する第１終端手段の情報を接続解除情報として出力することにより、前記通信装置間の呼を切断する切断手段を更に備えたことを特徴とする請求項１に記載のパス制御装置。
【請求項３】
前記第１終端手段および前記第２終端手段は、前記パス接続情報を取得してから所定時間経過した後に、接続確認を実行することを特徴とする請求項１または２に記載のパス制御装置。
【請求項４】
前記第１終端手段および前記第２終端手段は、前記接続手段から出力される複数のパス接続情報をパステーブルに登録し、当該パステーブルに登録されたパス接続情報を所定時間ごとに順次抽出し、抽出したパス接続情報に基づいて接続確認を実行することを特徴とする請求項１、２または３に記載のパス制御装置。
【請求項５】
第１の通信装置に接続された非ＩＰ網を終端する複数の第１終端装置と、第２の通信装置に接続されたＩＰ網を終端する複数の第２終端装置とを備えたパス制御装置が、
前記第１終端装置にパスＩＤおよび接続先となる第２終端装置のアドレスを含むパス接続情報を出力し、前記第２終端装置にパスＩＤおよび接続先となる第１終端手段のアドレスを含むパス接続情報を出力するステップと、
前記第１終端装置が、前記パス接続情報を取得した場合に、接続先となる第２終端装置に対して前記パス接続情報に含まれるパスＩＤおよび前記第１終端装置のアドレスを格納した整合パケットを出力することにより、接続確認を実行するステップと、
前記第２終端装置が、前記パス接続情報を取得した場合に、接続先となる第１終端装置に対して前記パス接続情報に含まれるパスＩＤおよび前記第２終端装置のアドレスを格納した整合パケットを出力することにより、接続確認を実行するステップと、
を含んだことを特徴とするパス接続方法。
【発明の詳細な説明】
【技術分野】
【０００１】
この発明は、ＩＰスイッチを利用して例えば電話機等の通信装置の呼等を接続するパス制御装置およびパス接続方法に関するものである。
【背景技術】
【０００２】
従来、非ＩＰ（Internet  Protocol）網の通信装置とＩＰ網の通信装置とを接続する場合に、ＩＰスイッチを使って呼毎にパスを設定するメディアゲートウェイ（ＭＧ）装置が利用されている。
【０００３】
図２１は、従来のメディアゲートウェイ装置１０の構成を示す図である。同図に示すように、このメディアゲートウェイ装置１０は、メディアゲートウェイ装置１０全体を制御する制御部１１と、Ｌ２（Layer2）スイッチ１２と、非ＩＰ網を終端する回線終端装置１３ａ，１３ｂと、ＩＰ網を終端するＩＰネット終端装置１４ａ，１４ｂとを有している。なお、通信装置（図示略）は、非ＩＰ網、ＩＰ網に接続されているものとする。
【０００４】
このうち、制御部１１は、通信装置の間におけるパスの整合処理を全て主導で実施しており、メディアゲートウェイ装置１０に設定されている全てのパスの整合を管理している。
【０００５】
例えば、制御部１１は、回線終端装置１３ａ，１３ｂとＩＰネット終端装置１４ａ，１４ｂとの間におけるパスの整合処理として、呼毎にどこの処理まで完了しているのかを示す情報を保持し、その情報に基づいて各終端装置に中途半端に残ってしまったパスの情報を削除している。
【０００６】
また、制御部１１は、パスの切断時または接続時に各終端装置上に不要なパスの情報が残留してしまった場合には、トラフィックの少ない時間帯に制御部１１が保持する全パスの情報と、各終端装置に設定さているパスの情報とを比較することで整合処理を行い、制御部１１と各終端装置との間におけるパスの情報の不一致を解消している。
【０００７】
なお、特許文献１には、自律分散型回線終端回復方式により障害回復を行う通信網において、ノード間で迂回パス設定時にユニーク番号を参照して、残留パスを開放することで、伝送路の無駄を無くす技術が公開されている。
【０００８】
【特許文献１】特開平８−８９７２号公報
【発明の開示】
【発明が解決しようとする課題】
【０００９】
しかしながら、上述した従来の技術には、制御部１１が、メディアゲートウェイ装置１０に設定されている全てのパスの整合を管理する必要があるため、制御部１１に対する負荷が集中し、通常のサービスに悪影響を与えてしまう恐れがあった。
【００１０】
制御部１１が実施するパスの整合処理は、長時間に渡り制御部１１に高い負荷を与えてしまうので、１日に１回程度しか実施することができない。従って、各終端装置に矛盾したパスの情報が設定されてしまった場合でも、かかる矛盾したパスの情報が長時間放置されることになり、場合によっては混線や誤って通信装置が接続されることに起因する誤課金などの問題につながり、サービスに悪影響を与えてしまう。
【００１１】
すなわち、制御部１１のように、特定の処理部に負荷が集中してしまうことを防止することで、サービスに与える悪影響を予防することが重要な課題となっている。
【００１２】
この発明は、上述した従来技術による問題点を解消するためになされたものであり、特定の処理部に処理負荷が集中してしまうことを防ぐパス制御装置を提供することを目的とする。
【課題を解決するための手段】
【００１３】
上述した課題を解決し、目的を達成するため、このパス制御装置は、第１の通信装置に接続された非ＩＰ網を終端する複数の第１終端手段と、第２の通信装置に接続されたＩＰ網を終端する複数の第２終端手段と、前記第１終端手段に接続先となる第２終端手段のパス接続情報を出力し、前記第２終端手段に接続先となる第１終端手段のパス接続情報を出力することにより、前記第１の通信装置と前記第２の通信装置との呼を接続する接続手段とを備え、前記第１終端手段は、前記パス接続情報を取得した場合に、接続先となる第２終端手段に対して接続確認を実行し、前記第２終端手段は、前記パス接続情報を取得した場合に、接続先となる第１終端手段に対して接続確認を実行することを要件とする。
【発明の効果】
【００１４】
このパス制御装置によれば、第１制御手段および第２制御手段が自律的に接続確認を実行するので、パス接続にかかる処理負荷が特定の装置に集中することを防止することができる。
【発明を実施するための最良の形態】
【００１５】
以下に添付図面を参照して、この発明に係るパス制御装置（本実施例では、メディアゲートウェイ装置）の好適な実施の形態を詳細に説明する。
【実施例１】
【００１６】
図１は、本実施例１にかかるメディアゲートウェイ装置１００の概要を説明するための図である。同図に示すように、このメディアゲートウェイ装置１００は、制御部１１０と、Ｌ２（Layer2）スイッチ１２０と、回線終端装置２００ａ，２００ｂと、ＩＰ（Internet  Protocol）ネット終端装置３００ａ，３００ｂとを有する。
【００１７】
ここでは説明の便宜上、回線終端装置２００ａ，２００ｂ、ＩＰネット終端装置３００ａ，３００ｂのみを示すが、このメディアゲートウェイ装置１００はその他にも、回線終端装置、ＩＰネット終端装置を備えているものとする。なお、非ＩＰ網およびＩＰ網には通信装置（図示略）が接続されているものとする。
【００１８】
制御部１１０は、各通信装置との呼を接続する場合に、接続する回線終端装置およびＩＰネット終端装置を判定し、判定した回線終端装置およびＩＰネット終端装置にパス接続情報を出力する手段である。なお、制御部１１０は、共通線（図示略）に接続されており、かかる共通線から接続対象となる回線終端装置およびＩＰネット終端装置の情報を取得する。
【００１９】
パス接続情報は、各通信装置のパスを識別するパスＩＤ（Identification）と、パス接続に伴ってハードに設定されるパス設定情報と、接続先となる終端装置（回線終端装置２００ａ，２００ｂあるいはＩＰネット終端装置３００ａ，３００ｂ）のＩＰアドレスとを含んでいる。
【００２０】
以下の説明において、制御部１１０が、発信側となる終端装置に出力するパス接続情報を、発信側パス接続情報と表記し、着信側となる終端装置に出力するパス接続情報を着信側パス接続情報と表記する。
【００２１】
また、制御部１１０は、各通信装置の呼を切断する場合には、接続を解除する終端装置の組に、パスの開放要求を出力する。かかるパスの開放要求には解除対象となるパスＩＤが含まれている。例えば、回線終端装置２００ａと、ＩＰネット終端装置３００ａとの間におけるパスＩＤ「１００」の接続を解除する場合には、パスＩＤ「１００」を格納したパスの開放要求を、回線終端装置２００ａ、ＩＰネット終端装置３００ａに出力する。
【００２２】
Ｌ２スイッチ１２０は、回線終端装置２００ａ，２００ｂとＩＰネット終端装置３００ａ，３００ｂとの間で送受信されるデータを中継する手段である。
【００２３】
回線終端装置２００ａ，２００ｂは、非ＩＰ網を終端する手段であり、制御部１１０から発信側接続情報を取得した場合には、着信側となるＩＰネット終端装置３００ａまたは３００ｂに接続確認を行う。また、回線終端装置２００ａ，２００ｂは、制御部１１０から着信側パス接続情報を取得した場合には、発信側となるＩＰネット終端装置３００ａまたは３００ｂに接続確認を行う。
【００２４】
ＩＰネット終端装置３００ａ，３００ｂは、ＩＰ網を終端する手段であり、制御部１１０から発信側接続情報を取得した場合には、着信側となる回線終端装置２００ａまたは２００ｂに接続確認を行う。また、ＩＰネット終端装置３００ａ，３００ｂは、制御部１１０から着信側パス接続情報を取得した場合には、発信側となる回線終端装置２００ａまたは２００ｂに接続確認を行う。
【００２５】
次に、図１を用いて、メディアゲートウェイ装置１００の処理の概要について説明する。前提条件として、発信側の終端装置を回線終端装置２００ａ、着信側の終端装置をＩＰネット終端装置３００ａとする。まず、制御部１１０は、回線終端装置２００ａに発信側パス接続情報を出力し（図１の（１）参照）、ＩＰネット終端装置３００ａに着信側パス接続情報を出力する（図１の（２）参照）。
【００２６】
回線終端装置２００ａは、制御部１１０から発信側パス接続情報を取得した場合には、発信側パス接続情報に含まれるパスＩＤと、回線終端装置２００ａのＩＰアドレスとをパス整合パケットとしてＩＰネット終端装置３００ａに出力することで接続確認を行う（図１の（３）参照）。
【００２７】
ＩＰネット終端装置３００ａは、パス整合パケットを取得した場合に、パス整合パケットと着信側パス接続情報とを比較して、パスの整合が取れているか否かを判定する。ＩＰネット終端装置３００ａは、パス整合パケットのパスＩＤ、ＩＰアドレスと、着信側パス整合情報のパスＩＤ、ＩＰアドレスとが一致した場合に、パスの整合が取れていると判定する。
【００２８】
一方、ＩＰネット終端装置３００ａは、パス整合パケットのパスＩＤ、ＩＰアドレスと、着信側パス整合情報のパスＩＤ、ＩＰアドレスとが一致しない場合に、パスの整合が取れていないと判定する。ＩＰネット終端装置３００ａは、判定結果を回線終端装置２００ａに出力する（図１の（４）参照）。
【００２９】
回線終端装置２００ａは、ＩＰネット終端装置３００ａから判定結果を取得し、パスの整合が取れている旨の情報を取得した場合には、回線終端装置２００ａとＩＰネット終端装置３００ａとの接続が完了する。
【００３０】
一方、回線終端装置２００ａは、ＩＰネット終端装置３００ａから判定結果を取得し、パスの整合が取れていない旨の情報を取得した場合には、整合が取れていないパスＩＤの情報等を制御部１１０に出力する（図１の（５）参照）。
【００３１】
このように、本実施例１にかかるメディアゲートウェイ装置１００は、回線終端装置２００ａ，２００ｂ、ＩＰネット終端装置３００ａ，３００ｂが自律的にパスの整合処理を実行するので、所定の処理部（制御部１１０）に呼の接続にかかる処理が集中してしまうことを防止することができる。
【００３２】
次に、図１に示した回線終端装置２００ａ，２００ｂについて説明する。図２は、本実施例１にかかる回線終端装置２００ａのブロック図である。なお、回線終端装置２００ｂの構成は、回線終端装置２００ａと同様である。
【００３３】
図２に示すように、この回線終端装置２００ａは、ＳＤＨ（Synchronous  Digital  Hierarchy）部２１０と、ＣＬＡＤ（Cell  Assembly  and  Disassembly）部２２０と、ＩＰ変換部２３０と、記憶部２４０と、後方監視メモリ２５０と、制御部２６０とを有する。
【００３４】
このうち、ＳＤＨ部２１０は、非ＩＰ網からの物理インターフェースを終端する手段であり、非ＩＰ網から入力されるデータをＣＬＡＤ部２２０に出力する。また、ＳＤＨ部２１０は、ＣＬＡＤ部２２０から入力されるデータを非ＩＰ網に出力する。
【００３５】
ＣＬＡＤ部２２０は、データのセル化あるいはディセル化を実行する手段である。ＣＬＡＤ部２２０は、ＳＤＨ部２１０から入力されるデータをディセル化し、ディセル化したデータをＩＰ変換部２３０に出力する。また、ＣＬＡＤ部２２０は、ＩＰ変換部２３０から入力されるデータをセル化し、セル化したデータをＳＤＨ部２１０に出力する。
【００３６】
ＩＰ変換部２３０は、Ｌ２スイッチ１２０とのインターフェースをとるため、Ｌ２スイッチ１２０との間で送受信されるパケットのヘッダの処理を行う手段である。
【００３７】
記憶部２４０は、制御部２６０による各種処理に必要なデータおよびプログラムを記憶する記憶手段であり、特に本発明に密接に関連するものとしては、図２に示すように、ＩＰアドレス２４０ａと、パスデータ管理テーブル２４０ｂとを有する。
【００３８】
ここで、ＩＰアドレス２４０ａは、回線終端装置２００ａに設定されるＩＰアドレス（例えば、１０．１０．１０．１）である。このＩＰアドレス２４０ａは、初期設定時に、制御部１１０によって通知される。
【００３９】
パスデータ管理テーブル２４０ｂは、ＩＰネット終端装置３００ａまたは３００ｂとの間におけるパスを管理するテーブルである。図３は、本実施例１にかかるパスデータ管理テーブル２４０ｂのデータ構造の一例を示す図である。
【００４０】
図３に示すように、このパスデータ管理テーブル２４０ｂは、パスＩＤと、パス設定情報と、相手ＩＰアドレスとを有する。このうち、パスＩＤは、パスを識別する情報である。パス設定情報は、パス接続に伴って、ＳＤＨ部２１０、ＣＬＡＤ部２２０、ＩＰ変換部２３０に設定される設定情報である。相手ＩＰアドレスは、接続先となる終端装置のＩＰアドレスを示す。
【００４１】
後方監視メモリ２５０は、開放対象（削除対象）となるパスの情報を記憶する記憶手段である。図４は、本実施例１にかかる後方監視メモリ２５０のデータ構造の一例を示す図である。同図に示すように、この後方監視メモリ２５０は、開放対象となるパスのパスＩＤと、パス設定情報と、相手ＩＰアドレスとを有する。
【００４２】
制御部２６０は、各種の処理手順を規定したプログラムや制御データを格納するための内部メモリを有し、これらによって種々の処理を実行する制御手段である。特に本発明に密接に関連するものとしては、制御部２６０は、パスデータ管理部２６０ａと、パスデータ監視部２６０ｂと、データ設定部２６０ｃとを有する。
【００４３】
このうち、パスデータ管理部２６０ａは、パスデータ管理テーブル２４０ｂを管理すると共に、パス接続情報（発信側パス接続情報、着信側パス接続情報）を取得した場合に、接続先のＩＰネット終端装置３００ａまたは３００ｂとの間でパスの整合処理を実行する手段である。また、パスデータ管理部２６０ａは、制御部１１０からパス開放要求を取得した場合に、接続先のＩＰネット終端装置３００ａまたは３００ｂとの間で、パスの開放処理を実行する。
【００４４】
図５は、本実施例１にかかる発信側パス接続情報のデータ構造の一例を示す図である。同図に示すように、この発信側パス接続情報は、パスＩＤと、パス設定情報と、相手（着信側）ＩＰアドレスとを有する。
【００４５】
図６は、本実施例１にかかる着信側パス接続情報のデータ構造の一例を示す図である。同図に示すように、この着信側パス接続情報は、パスＩＤと、パス設定情報と、相手（発信側）ＩＰアドレスとを有する。
【００４６】
（発信側パス接続情報を取得した場合の処理）
パスデータ管理部２６０ａは、発信側パス接続情報を取得した場合には、まず、発信側パス接続情報に含まれるパスＩＤ、パス設定情報、相手（着信側）ＩＰアドレスを、パスデータ管理テーブル２４０ｂ（図３参照）のパスＩＤ、パス設定情報、相手ＩＰアドレスにそれぞれ登録する。
【００４７】
続いて、パスデータ管理部２６０ａは、発信側パス接続情報に含まれるパスＩＤと、回線終端装置２００ａに設定されたＩＰアドレス（ＩＰアドレス２４０ａ）とを格納したパス整合パケットを生成する。そして、パスデータ管理部２６０ａは、発信側パス接続情報に含まれる相手（着信側）ＩＰアドレスのＩＰネット終端装置にパス整合パケットを出力することにより、接続確認を行う。
【００４８】
パスデータ管理部２６０ａは、発信側パス接続情報を取得した時点から所定時間後（例えば、パス設定にかかる制御部１１０とＩＰネット終端装置３００ａ，３００ｂとの処理時間が５０ｍｓｅｃであれば、１秒後）にパス整合パケットをＩＰネット終端装置に出力する。
【００４９】
パスデータ管理部２６０ａは、パスの整合が取れている旨の情報を接続確認先から取得した場合には、接続先となるＩＰネット終端装置との接続を完了する。一方、パスデータ管理部２６０ａは、パスの整合が取れていない旨の情報を接続確認先から取得した場合には、発信側パス接続情報のパスＩＤに該当するエントリをパスデータ管理テーブル２４０ｂから削除する。また、パスデータ管理部２６０ａは、削除したエントリのパスＩＤを格納したパス自律開放通知を制御部１１０に出力する。パス自律開放通知を取得した制御部１１０は、パス自律開放通知のパスＩＤに対応する情報を削除する。
【００５０】
なお、パスデータ管理部２６０ａは、パスの整合が取れていない旨の情報を接続確認先から取得してから所定時間後（例えば、１秒後）に、パス整合パケットを再送することにより、再度、接続確認を行っても良い。
【００５１】
（着信側パス接続情報を取得した場合の処理）
パスデータ管理部２６０ａは、着信側パス接続情報を取得した場合には、まず、着信側パス接続情報に含まれるパスＩＤ、パス設定情報、相手（発信側）ＩＰアドレスを、パスデータ管理テーブル２４０ｂのパスＩＤ、パス設定情報、相手ＩＰアドレスにそれぞれ登録する。
【００５２】
続いて、パスデータ管理部２６０ａは、着信側パス接続情報に含まれるパスＩＤと、回線終端装置２００ａに設定されたＩＰアドレス（ＩＰアドレス２４０ａ）とを格納したパス整合パケットを生成する。そして、パスデータ管理部２６０ａは、着信側パス接続情報に含まれる相手（発信側）ＩＰアドレスのＩＰネット終端装置にパス整合パケットを出力することにより、接続確認を行う。
【００５３】
パスデータ管理部２６０ａは、着信側パス接続情報を取得した時点から所定時間後（例えば、パス設定にかかる制御部１１０とＩＰネット終端装置３００ａ，３００ｂとの処理時間が５０ｍｓｅｃであれば、１秒後）にパス整合パケットをＩＰネット終端装置に出力する。
【００５４】
パスデータ管理部２６０ａは、パスの整合が取れている旨の情報を接続確認先から取得した場合には、接続先となるＩＰネット終端装置との接続を完了する。一方、パスデータ管理部２６０ａは、パスの整合が取れていない旨の情報を接続確認先から取得した場合には、着信側パス接続情報のパスＩＤに該当するエントリをパスデータ管理テーブル２４０ｂから削除する。また、パスデータ管理部２６０ａは、削除したエントリのパスＩＤを格納したパス自律開放通知を制御部１１０に出力する。パス自律開放通知を取得した制御部１１０は、パス自律開放通知のパスＩＤに対応する情報を削除する。
【００５５】
パスデータ管理部２６０ａは、着信側パス接続情報を取得した時点から所定時間後（例えば、パス設定にかかる制御部１１０とＩＰネット終端装置３００ａ，３００ｂとの処理時間が５０ｍｓｅｃであれば、１秒後）にパス整合パケットをＩＰネット終端装置に出力する。
【００５６】
次に、パスデータ管理部２６０ａが、他の終端装置からパス整合パケットを取得し、整合が取れているか否かを判定する場合の処理について説明する。パスデータ管理部２６０ａは、パス整合パケットを取得した場合には、パス整合パケットと、パスデータ管理テーブル２４０ｂとを比較して、パスの整合が取れているか否かを判定する。
【００５７】
まず、パスデータ管理部２６０ａは、パス整合パケットとパスデータ管理テーブル２４０ｂとを比較し、パス整合パケットに格納されたパスＩＤ（以下、接続パスＩＤと表記する）が、パスデータ管理テーブル２４０ｂに存在するか否かを判定する。接続パスＩＤが、パスデータ管理テーブル２４０ｂに存在しない場合には、パスデータ管理部２６０ａは、パスの整合が取れていない旨の情報を、接続確認要求元に出力する。
【００５８】
一方、接続パスＩＤがパスデータ管理テーブル２４０ｂに存在している場合には、パスデータ管理テーブル２４０ｂ中の接続パスＩＤに対応する相手ＩＰアドレスと、パス整合パケットに含まれるＩＰアドレスとが一致するか否かを判定する。
【００５９】
パスデータ管理テーブル２４０ｂ中の接続パスＩＤに対応する相手ＩＰアドレスと、パス整合パケットに含まれるＩＰアドレスとが一致する場合には、パスデータ管理部２６０ａは、パスの整合が取れている旨の情報を、接続確認要求元に出力する。
【００６０】
一方、接続パスＩＤに対応する相手ＩＰアドレスと、パス整合パケットに含まれるＩＰアドレスとが一致しない場合には、パスデータ管理部２６０ａは、パスデータ管理テーブル２４０ｂと接続パスＩＤとを比較して、接続パスＩＤに対応する相手ＩＰアドレスを宛先とするパス整合パケットを生成する。このパス整合パケットは、接続パスＩＤと、回線終端装置２００ａのＩＰアドレス（ＩＰアドレス２４０ａ）が含まれる。パスデータ管理部２６０ａは、生成したパス整合パケットを宛先に出力する。
【００６１】
パスデータ管理部２６０ａは、パス整合パケットを出力した後に、パスの整合が取れている旨の情報を、パス整合パケットの送信先から取得した場合には、パスの整合がとれていない旨の情報を接続確認要求元に出力する。
【００６２】
一方、パスデータ管理部２６０ａは、パスの整合が取れていない旨の情報を、パス整合パケットの送信先から取得した場合には、パスの整合が取れていない旨の情報を接続確認要求元に出力すると共に、整合の取れていない接続パスＩＤに対応するエントリをパスデータ管理テーブル２４０ｂから削除する。
【００６３】
次に、パスデータ管理部２６０ａが、パスの開放要求を制御部１１０から取得した場合の処理について説明する。制御部１１０から出力されるパスの開放要求は、開放対象となるパスのパスＩＤ（以下、開放パスＩＤと表記する）を有している。
【００６４】
まず、パスデータ管理部２６０ａは、パスの開放要求を取得した場合には、開放パスＩＤと、パスデータ管理テーブル２４０ｂとを比較して、開放パスＩＤと一致するパスＩＤのエントリをパスデータ管理テーブル２４０ｂから取り出し、取り出したエントリを、後方監視メモリ２５０に登録する。パスデータ管理部２６０ａは、後方監視メモリ２５０にエントリを登録した後に、パスの開放が完了した旨の情報を制御部１１０に出力する。
【００６５】
続いて、パスデータ管理部２６０ａは、パス開放整合パケットを生成し、開放パスＩＤに対応付けられた相手ＩＰアドレスを宛先として、パス開放整合パケットを出力する。このパス開放整合パケットは、開放パスＩＤと、回線終端装置２００ａのＩＰアドレス（ＩＰアドレス２４０ａ）を含んでいる。パスデータ管理部２６０ａは、パス開放整合完了パケットを、パス開放整合パケットの出力先から取得した場合に、後方監視メモリ２５０のエントリを削除する。
【００６６】
一方、パスデータ管理部２６０ａは、ＩＰネット終端装置３００ａまたは３００ｂからパス開放整合パケットを取得した場合には、後方監視メモリ２５０上のパスＩＤをチェックし、開放パスＩＤと同じパスＩＤが存在するか否かを判定する。
【００６７】
開放パスＩＤと同じパスＩＤが後方監視メモリ２５０上に存在する場合には、パスデータ管理部２６０ａは、該当するパスＩＤのエントリを後方監視メモリ２５０から削除し、パス開放整合完了パケットを、パス開放整合パケットの出力元に出力する。
【００６８】
開放パスＩＤと同じパスＩＤが後方監視メモリ２５０上に存在しない場合には、パスデータ管理部２６０ａは、開放パスＩＤと一致するパスＩＤがパスデータ管理テーブル２４０ｂに存在するか否かを判定する。開放パスＩＤと一致するパスＩＤがパスデータ管理テーブル２４０ｂに存在しない場合には、パス開放整合完了パケットを、パス開放整合パケットの出力元に出力する。
【００６９】
一方、開放パスＩＤと一致するパスＩＤがパスデータ管理テーブル２４０ｂに存在する場合には、パスデータ管理部２６０ａは、開放パスＩＤと一致するパスＩＤに対応付けられた相手ＩＰアドレスと、パケット開放整合パケットに含まれるＩＰアドレスとが一致するか否かを判定する。
【００７０】
ＩＰアドレスが一致する場合には、パスデータ管理部２６０ａは、開放パスＩＤと一致するパスＩＤに対応するエントリをパスデータ管理テーブル２４０ｂから削除した後に、パス開放整合完了パケットを、パス開放整合パケットの出力元に出力する。一方、ＩＰアドレスが一致しない場合には、パスデータ管理部２６０ａは、パス開放整合完了パケットを、パス開放整合パケットの出力元に出力する。
【００７１】
パスデータ監視部２６０ｂは、パスデータ管理テーブル２４０ｂに登録された各エントリの整合が取れているか否かを監視する手段である。具体的に、パスデータ監視部２６０ｂは、パスデータ管理テーブル２４０ｂに登録されたエントリを選択し、パス整合パケットを生成する。このパス整合パケットは、選択したエントリのパスＩＤと、ＩＰアドレス２４０ａが含まれているものとする。そして、パスデータ監視部２６０ｂは、パス整合パケットを、選択したエントリの相手ＩＰアドレスに対応する終端装置に出力する。
【００７２】
例えば、パスデータ監視部２６０ｂが、パスデータ管理テーブル２４０ｂの１段目のエントリを選択した場合には、パス整合パケットに含まれるパスＩＤは「１００」となり、ＩＰアドレスは、「１０．１０．１０．１」となり、出力先は、相手ＩＰアドレス「１０．１０．１０．２」のＩＰネット終端装置３００ａとなる。
【００７３】
パスデータ監視部２６０ｂは、パス整合パケットの出力先から応答を取得し、整合が取れている旨の情報を取得した場合には、次のエントリを選択し、上記処理を繰り返す（一定の時間間隔で繰り返す）。一方、パスデータ監視部２６０ｂは、パス整合パケットの出力先から応答を取得し、整合が取れていない旨の情報を取得した場合には、送信したパス整合パケットのパスＩＤに対応するエントリをパスデータ管理テーブル２４０ｂから削除する。そして、削除したエントリのパスＩＤを制御部１１０に出力する。
【００７４】
なお、パスデータ監視部２６０ｂは、パス整合パケットの出力先から応答を取得し、整合が取れていない旨の情報を取得した場合に、一定時間後（例えば、１秒後）に、パス整合パケットを再送してもよい。そして、再送した結果、再度、パスの整合が取れていない旨の情報を取得した場合には、再送したパス整合パケットのパスＩＤに対応するエントリをパスデータ管理テーブル２４０ｂから削除する。
【００７５】
データ設定部２６０ｃは、パスデータ管理テーブル２４０ｂに登録されたパス設定情報を利用して、ＳＤＨ部２１０、ＣＬＡＤ部２２０、ＩＰ変換部２３０に各種のデータを設定する手段である。
【００７６】
次に、図１に示したＩＰネット終端装置３００ａ，３００ｂについて説明する。図７は、本実施例１にかかるＩＰネット終端装置３００ａのブロック図である。なお、ＩＰネット終端装置３００ｂの構成は、ＩＰネット終端装置３００ａと同様である。
【００７７】
図７に示すように、このＩＰネット終端装置３００ａは、ＩＰ変換部３１０と、ＣＯＤＥＣ（Compression/Decompression）変換部３２０と、ＲＴＰ（Real-time  Transport  Protocol）変換部３３０と、記憶部３４０と、後方監視メモリ３５０と、制御部３６０とを有する。
【００７８】
このうち、ＩＰ変換部３１０は、Ｌ２スイッチ１２０とのインターフェースをとるため、Ｌ２スイッチ１２０との間で送受信されるパケットのヘッダの処理を行う手段である。
【００７９】
ＣＯＤＥＣ変換部３２０は、データの圧縮／伸長を実行する手段である。ＣＯＤＥＣ変換部３２０は、ＩＰ変換部３１０から出力されるデータを圧縮し、圧縮したデータをＲＴＰ変換部３３０に出力する。また、ＣＯＤＥＣ変換部３２０は、ＲＴＰ変換部３３０から出力されるデータを伸長し、伸長したデータをＩＰ変換部３１０に出力する。
【００８０】
ＲＴＰ変換部３３０は、ＩＰ網からの物理インターフェースを終端する手段であり、ＩＰ網から入力されるデータをＣＯＤＥＣ変換部３２０に出力する。また、ＲＴＰ変換部３３０は、ＣＯＤＥＣ変換部３２０から入力されるデータをＩＰ網に出力する。
【００８１】
記憶部３４０は、制御部３６０による各種処理に必要なデータおよびプログラムを記憶する記憶手段であり、特に本発明に密接に関連するものとしては、図７に示すように、ＩＰアドレス３４０ａと、パスデータ管理テーブル３４０ｂとを有する。
【００８２】
ここで、ＩＰアドレス３４０ａは、ＩＰネット終端装置３００ａに設定されるＩＰアドレス（例えば、１０．１０．１０．２）である。このＩＰアドレス３４０ａは、初期設定時に制御部１１０によって通知される。
【００８３】
パスデータ管理テーブル３４０ｂは、回線終端装置２００ａまたは２００ｂとの間におけるパスを管理するテーブルである。パスデータ管理テーブル３４０ｂのデータ構造は、図３に示したパスデータ管理テーブル２４０ｂのデータ構造と同様であるため説明を省略する。
【００８４】
後方監視メモリ３５０は、開放対象となるパスの情報を記憶する記憶手段である。後方監視メモリ３５０のデータ構造は、図４に示した後方監視メモリ２５０のデータ構造と同様であるため説明を省略する。
【００８５】
制御部３６０は、各種の処理手順を規定したプログラムや制御データを格納するための内部メモリを有し、これらによって種々の処理を実行する制御手段である。特に本発明に密接に関連するものとしては、制御部３６０は、パスデータ管理部３６０ａと、パスデータ監視部３６０ｂと、データ設定部３６０ｃとを有する。
【００８６】
このうち、パスデータ管理部３６０ａは、パスデータ管理テーブル３４０ｂを管理すると共に、パス接続情報（発信側パス接続情報、着信側パス接続情報）を取得した場合に、接続先の回線終端装置２００ａまたは２００ｂとの間でパスの整合処理を実行する手段である。また、パスデータ管理部３６０ａは、制御部１１０からパスの開放要求を取得した場合に、接続先の回線終端装置２００ａまたは２００ｂとの間で、パスの開放処理を実行する。
【００８７】
（発信側パス接続情報を取得した場合の処理）
パスデータ管理部３６０ａは、発信側パス接続情報を取得した場合には、まず、発信側パス接続情報に含まれるパスＩＤ、パス設定情報、相手（着信側）ＩＰアドレスを、パスデータ管理テーブル３４０ｂ（図３参照）のパスＩＤ、パス設定情報、相手ＩＰアドレスにそれぞれ登録する。
【００８８】
続いて、パスデータ管理部３６０ａは、発信側パス接続情報に含まれるパスＩＤと、ＩＰネット終端装置３００ａに設定されたＩＰアドレス（ＩＰアドレス３４０ａ）とを格納したパス整合パケットを生成する。そして、パスデータ管理部３６０ａは、発信側パス接続情報に含まれる相手（着信側）ＩＰアドレスの回線終端装置にパス整合パケットを出力することにより、接続確認を行う。
【００８９】
パスデータ管理部３６０ａは、発信側パス接続情報を取得した時点から所定時間後（例えば、パス設定にかかる制御部１１０と回線終端装置２００ａ，２００ｂとの処理時間が５０ｍｓｅｃであれば、１秒後）にパス整合パケットをＩＰネット終端装置に出力する。
【００９０】
パスデータ管理部３６０ａは、パスの整合が取れている旨の情報を接続確認先から取得した場合には、接続先となる回線終端装置との接続を完了する。一方、パスデータ管理部３６０ａは、パスの整合が取れていない旨の情報を接続確認先から取得した場合には、発信側パス接続情報のパスＩＤに該当するエントリをパスデータ管理テーブル３４０ｂから削除する。また、パスデータ管理部３６０ａは、削除したエントリのパスＩＤを格納したパス自律開放通知を制御部１１０に出力する。パス自律開放通知を取得した制御部１１０は、パス自律開放通知のパスＩＤに対応する情報を削除する。
【００９１】
なお、パスデータ管理部３６０ａは、パスの整合が取れていない旨の情報を接続確認先から取得してから所定時間後（例えば、１秒後）に、パス整合パケットを再送することにより、再度、接続確認を行っても良い。
【００９２】
（着信側パス接続情報を取得した場合の処理）
パスデータ管理部３６０ａは、着信側パス接続情報を取得した場合には、まず、着信側パス接続情報に含まれるパスＩＤ、パス設定情報、相手（発信側）ＩＰアドレスを、パスデータ管理テーブル３４０ｂのパスＩＤ、パス設定情報、相手ＩＰアドレスにそれぞれ登録する。
【００９３】
続いて、パスデータ管理部３６０ａは、着信側パス接続情報に含まれるパスＩＤと、ＩＰネット終端装置３００ａに設定されたＩＰアドレス（ＩＰアドレス３４０ａ）とを格納したパス整合パケットを生成する。そして、パスデータ管理部３６０ａは、着信側パス接続情報に含まれる相手（発信側）ＩＰアドレスの回線終端装置にパス整合パケットを出力することにより、接続確認を行う。
【００９４】
パスデータ管理部３６０ａは、着信側パス接続情報を取得した時点から所定時間後（例えば、パス設定にかかる制御部１１０と回線終端装置２００ａ，２００ｂとの処理時間が５０ｍｓｅｃであれば、１秒後）にパス整合パケットをＩＰネット終端装置に出力する。
【００９５】
パスデータ管理部３６０ａは、パスの整合が取れている旨の情報を接続確認先から取得した場合には、接続先となる回線終端装置との接続を完了する。一方、パスデータ管理部３６０ａは、パスの整合が取れていない旨の情報を接続要求先から取得した場合には、着信側パス接続情報のパスＩＤに該当するエントリをパスデータ管理テーブル３４０ｂから削除する。また、パスデータ管理部３６０ａは、削除したエントリのパスＩＤを格納したパス自律開放通知を制御部１１０に出力する。パス自律開放通知を取得した制御部１１０は、パス自律開放通知のパスＩＤに対応する情報を削除する。
【００９６】
なお、パスデータ管理部３６０ａは、パスの整合が取れていない旨の情報を接続確認先から取得してから所定時間後（例えば、１秒後）に、パス整合パケットを再送することにより、再度、接続確認を行っても良い。
【００９７】
次に、パスデータ管理部３６０ａが、他の終端装置からパス整合パケットを取得し、整合が取れているか否かを判定する処理について説明する。パスデータ管理部３６０ａは、パス整合パケットを取得した場合には、パス整合パケットと、パスデータ管理テーブル３４０ｂとを比較して、パスの整合が取れているか否かを判定する。
【００９８】
まず、パスデータ管理部３６０ａは、パス整合パケットとパスデータ管理テーブル３４０ｂとを比較し、パス整合パケットに格納されたパスＩＤ（以下、接続パスＩＤと表記する）が、パスデータ管理テーブル３４０ｂに存在するか否かを判定する。接続パスＩＤがパスデータ管理テーブル３４０ｂに存在しない場合には、パスデータ管理部３６０ａは、パスの整合が取れていない旨の情報を、接続確認元に出力する。
【００９９】
一方、接続パスＩＤがパスデータ管理テーブル３４０ｂに存在している場合には、パスデータ管理テーブル３４０ｂ中の接続パスＩＤに対応する相手ＩＰアドレスと、パス整合パケットに含まれるＩＰアドレスとが一致するか否かを判定する。
【０１００】
パスデータ管理テーブル３４０ｂ中の接続パスＩＤに対応する相手ＩＰアドレスと、パス整合パケットに含まれるＩＰアドレスとが一致する場合には、パスデータ管理部３６０ａは、パスの整合が取れている旨の情報を、接続確認元に出力する。
【０１０１】
一方、接続パスＩＤに対応する相手ＩＰアドレスと、パス整合パケットに含まれるＩＰアドレスとが一致しない場合には、パスデータ管理部３６０ａは、パスデータ管理テーブル３４０ｂと接続パスＩＤとを比較して、接続パスＩＤに対応する相手ＩＰアドレスを宛先とするパス整合パケットを生成する。このパス整合パケットは、接続パスＩＤと、ＩＰネット終端装置３００ａのＩＰアドレス（ＩＰアドレス３４０ａ）が含まれる。パスデータ管理部３６０ａは、生成したパス整合パケットを宛先に出力する。
【０１０２】
パスデータ管理部３６０ａは、パス整合パケットを出力した後に、パスの整合が取れている旨の情報を、パス整合パケットの出力先にから取得した場合には、パスの整合がとれていない旨の情報を接続確認元に出力する。
【０１０３】
一方、パスデータ管理部３６０ａは、パスの整合が取れていない旨の情報を、パス整合パケットの出力先から取得した場合には、パスの整合が取れていない旨の情報を接続確認元に出力すると共に、整合の取れていない接続パスＩＤに対応するエントリをパスデータ管理テーブル３４０ｂから削除する。
【０１０４】
次に、パスデータ管理部３６０ａが、パスの開放要求を制御部１１０から取得した場合の処理について説明する。制御部１１０から出力されるパスの開放要求は、開放対象となるパスのパスＩＤ（開放パスＩＤ）を有している。
【０１０５】
まず、パスデータ管理部３６０ａが、パスの開放要求を制御部１１０から取得した場合には、開放パスＩＤと、パスデータ管理テーブル３４０ｂとを比較して、開放パスＩＤと一致するパスＩＤのエントリをパスデータ管理テーブル３４０ｂから取り出し、取り出したエントリを、後方監視メモリ３５０に登録する。パスデータ管理部３６０ａは、後方監視メモリ３５０にエントリを登録した後に、パスの開放が完了した旨の情報を制御部１１０に出力する。
【０１０６】
続いて、パスデータ管理部３６０ａは、パス開放整合パケットを生成し、開放パスＩＤに対応付けられた相手ＩＰアドレスを宛先として、パス開放整合パケットを出力する。このパス開放整合パケットは、開放パスＩＤと、ＩＰネット終端装置３００ａのＩＰアドレスを含んでいる。パスデータ管理部３６０ａは、パス開放整合完了パケットを、パス開放整合パケットの出力先から取得した場合に、後方監視メモリ３５０のエントリを削除する。
【０１０７】
一方、パスデータ管理部３６０ａは、回線終端装置２００ａまたは２００ｂからパス開放整合パケットを取得した場合には、後方監視メモリ３５０上のパスＩＤをチェックし、開放パスＩＤと同じパスＩＤが存在するか否かを判定する。
【０１０８】
開放パスＩＤと同じパスＩＤが後方監視メモリ３５０上に存在する場合には、パスデータ管理部３６０ａは、該当するパスＩＤのエントリを後方監視メモリ３５０から削除し、パス開放整合完了パケットを、パス開放整合パケットの出力元に出力する。
【０１０９】
開放パスＩＤと同じパスＩＤが後方監視メモリ３５０上に存在しない場合には、パスデータ管理部３６０ａは、開放パスＩＤと一致するパスＩＤがパスデータ管理テーブル３４０ｂに存在するか否かを判定する。開放パスＩＤと一致するパスＩＤがパスデータ管理部３６０ａに存在しない場合には、パス開放整合完了パケットを、パス開放整合パケットの出力元に出力する。
【０１１０】
一方、開放パスＩＤと一致するパスＩＤがパスデータ管理テーブル３４０ｂに存在する場合には、パスデータ管理部３６０ａは、開放パスＩＤと一致するパスＩＤに対応付けられた相手ＩＰアドレスと、パケット開放整合パケットに含まれるＩＰアドレスとが一致するか否かを判定する。
【０１１１】
ＩＰアドレスが一致する場合には、パスデータ管理部３６０ａは、開放パスＩＤと一致するパスＩＤに対応するエントリをパスデータ管理テーブル３４０ｂから削除した後に、パス開放整合完了パケットを、パス開放整合パケットの出力元に出力する。一方、ＩＰアドレスが一致しない場合には、パスデータ管理部３６０ａは、パス開放整合完了パケットを、パス開放整合パケットの出力元に出力する。
【０１１２】
パスデータ監視部３６０ｂは、パスデータ管理テーブル３４０ｂに登録された各エントリの整合が取れているか否かを監視する手段である。具体的に、パスデータ監視部３６０ｂは、パスデータ管理テーブル３４０ｂに登録されたエントリを選択し、パス整合パケットを生成する。このパス整合パケットは、選択したエントリのパスＩＤと、ＩＰアドレス３４０ａが含まれているものとする。そして、パスデータ監視部３６０ｂは、パス整合パケットを、選択したエントリの相手ＩＰアドレスに対応する終端装置に出力する。
【０１１３】
パスデータ監視部３６０ｂは、パス整合パケットの出力先から応答を取得し、整合が取れている旨の情報を取得した場合には、次のエントリを選択し、上記処理を繰り返す（一定の時間間隔で繰り返す）。一方、パスデータ監視部３６０ｂは、パス整合パケットの出力先から応答を取得し、整合が取れていない旨の情報を取得した場合には、送信したパス整合パケットのパスＩＤに対応するエントリをパスデータ管理テーブル３４０ｂから削除する。そして、削除したエントリのパスＩＤを制御部１１０に出力する。
【０１１４】
なお、パスデータ監視部３６０ｂは、パス整合パケットの出力先から応答を取得し、整合が取れていない旨の情報を取得した場合に、一定時間後（例えば、１秒後）に、パス整合パケットを再送してもよい。そして、再送した結果、再度、パスの整合が取れていない旨の情報を取得した場合には、再送したパス整合パケットのパスＩＤに対応するエントリをパスデータ管理テーブル３４０ｂから削除する。
【０１１５】
データ設定部３６０ｃは、パスデータ管理テーブル３４０ｂに登録されたパス設定情報を利用して、ＩＰ変換部３１０、ＣＯＤＥＣ変換部３２０、ＲＴＰ変換部３３０に各種のデータを設定する手段である。
【０１１６】
次に、回線終端装置２００ａとＩＰネット終端装置３００ａとのパスが正常に接続されている場合のパスデータ管理テーブル２４０ｂ，３４０ｂの状態について説明する。図８は、正常にパスが接続されているパスデータ管理テーブルの状態を示す図である。
【０１１７】
図８に示すように、パスデータ管理テーブル２４０ｂと、パスデータ管理テーブル３４０ｂとを比較すると、両テーブルにパスＩＤ「１００」が登録されている。そして、パスデータ管理テーブル２４０ｂのパスＩＤ「１００」に対応する相手ＩＰアドレスが、ＩＰネット終端装置３００ａのＩＰアドレス「１０．１０．１０．２」と一致している。また、パスデータ管理テーブル３４０ｂのパスＩＤ「１００」に対応する相手ＩＰアドレスが、回線終端装置２００ａのＩＰアドレス「１０．１０．１０．１」と一致している。
【０１１８】
従って、パスＩＤ「１００」のパスは、回線終端装置２００ａとＩＰネット終端装置３００ａとの間で正常に接続されている。パスＩＤ「１０３」、「１０４」についても同様に、回線終端装置２００ａとＩＰネット終端装置３００ａとの間で正常に接続されている。
【０１１９】
次に、パス開放要求を取得した場合の、パスデータ管理テーブル２４０ｂ，３４０ｂの状態について説明する。図９〜図１１は、パス開放要求を取得した場合のパス管理テーブルの状態を説明するための図である。なお、ここでは一例として、回線終端装置２００ａがパス開放要求を取得し、回線終端装置２００ａとＩＰネット終端装置３００ａとの間でパスの整合をとるものとする。
【０１２０】
図９に示すように、制御部１１０から、パス開放要求（一例として、開放パスＩＤを「１０３」とする）を取得した場合には、開放パスＩＤと一致するパスＩＤをパスデータ管理テーブル２４０ｂから検索する。そして、パスＩＤ「１０３」に対応するエントリをパスデータ管理テーブル２４０ｂから取り出し、取り出したエントリを後方監視メモリ２５０に登録する。
【０１２１】
回線終端装置２００ａは、制御部１１０にパスの開放が完了した旨の情報を出力すると共に、開放パスＩＤ「１０３」と、ＩＰアドレス「１０．１０．１０．２」を格納したパス開放整合パケットをＩＰネット終端装置３００ａに出力する（図１０参照）。
【０１２２】
後方監視メモリ３５０に該当パスデータが存在しないので、ＩＰネット終端装置３００ａは、開放パスＩＤと一致するパスＩＤをパスデータ管理テーブル３４０ｂから検索する。
【０１２３】
ＩＰネット終端装置３００ａは、パスデータ管理テーブル３４０ｂに格納されたパスＩＤ「１０３」に対応するエントリを削除し、パス開放整合完了パケットを回線終端装置２００ａに出力する。回線終端装置２００ａは、パス開放整合完了パケットをＩＰネット終端装置３００ａから取得した後に、後方メモリ２５０に登録されたエントリ（パスＩＤ「１０３」に対応するエントリ）を削除する（図１１参照）。
【０１２４】
次に、各終端装置（回線終端装置２００ａ，２００ｂ、ＩＰネット終端装置３００ａ、３００ｂ）が、パスデータ管理テーブルに登録されたエントリの整合を取る処理について説明する。図１２は、各終端装置間で実行するパスデータ管理テーブルの整合処理を説明する図である。なお、ここでは、回線終端装置２００ａのパスデータ管理テーブルを、パスデータ管理テーブル２４０ｂ、回線終端装置２００ｂのパスデータ管理テーブルを、パスデータ管理テーブル２４５とする。また、ＩＰネット終端装置３００ａのパスデータ管理テーブルを、パスデータ管理テーブル３４０ｂ、ＩＰネット終端装置３００ｂのパスデータ管理テーブルを、パスデータ管理テーブル３４５とする。
【０１２５】
まず、回線終端装置２００ａが、パスＩＤ「１０７」のエントリを選択して、パス整合パケットを生成し、パス整合パケットを、ＩＰネット終端装置３００ａに送信した場合の処理について説明する。パスＩＤ「１０７」のエントリによって生成されるパス整合パケットは、パスＩＤ「１０７」、ＩＰアドレス「１０．１０．１０．１」を格納しており、宛先がＩＰアドレス「１０．１０．１０．２」のＩＰネット終端装置３００ａとなる。
【０１２６】
ＩＰネット終端装置３００ａは、パス整合パケットを取得した場合に、パス整合パケットのパスＩＤ「１０７」と、一致するパスＩＤがパスデータ管理テーブル３４０ｂに存在するか否かを判定する。パスＩＤ「１０７」と一致するパスＩＤが、パスデータ管理テーブル３４０ｂに存在しないので、ＩＰネット終端装置３００ａは、パスの整合が取れていない旨の情報を、回線終端装置２００ａに出力する。
【０１２７】
回線終端装置２００ａは、パスの整合が取れていない旨の情報を、パス整合パケットの出力先（ＩＰネット終端装置３００ａ）から取得した場合には、パスＩＤ「１０７」に対応するエントリを、パスデータ管理テーブル２４０ｂから削除する。そして、回線終端装置２００ａは、パスＩＤ「１０７」のエントリを削除した旨の情報を制御部１１０に出力する。
【０１２８】
続いて、回線終端装置２００ａが、パスＩＤ「１０３」のエントリを選択して、パス整合パケットを生成し、パス整合パケットを、ＩＰネット終端装置３００ａに送信した場合の処理について説明する。
【０１２９】
まず、回線終端装置２００ａが、パスＩＤ「１０３」のエントリを選択して、パス整合パケットを生成し、パス整合パケットを、ＩＰネット終端装置３００ａに出力する。パスＩＤ「１０３」のエントリによって生成されるパス整合パケットには、パスＩＤ「１０３」、ＩＰアドレス「１０．１０．１０．１」を格納しており、宛先がＩＰアドレス「１０．１０．１０．２」のＩＰネット終端装置３００ａとなる。
【０１３０】
ＩＰネット終端装置３００ａは、パス整合パケットを取得した場合に、パス整合パケットのパスＩＤ「１０３」と一致するパスＩＤがパスデータ管理テーブル３４０ｂに存在するか否かを判定する。パスＩＤ「１０３」と一致するパスＩＤが、パスデータ管理テーブル３４０ｂに存在するので、ＩＰネット終端装置３００ａは、パスＩＤ「１０３」に対応する相手ＩＰアドレスと、パス整合パケットのＩＰアドレスとが一致するか否かを判定する。
【０１３１】
相手ＩＰアドレス「１０．１０．１０．３」と、パス整合パケットのＩＰアドレス「１０．１０．１０．１」とは一致しないので、ＩＰネット終端装置３００ａは、パス整合パケットを生成し、生成したパケットを、相手先ＩＰアドレス「１０．１０．１０．３」の回線終端装置２００ｂに出力する。ここで、ＩＰネット終端装置３００ａが出力するパス整合パケットには、パスＩＤ「１０３」とＩＰアドレス「１０．１０．１０．２」が格納されている。
【０１３２】
回線終端装置２００ｂは、パス整合パケットを取得した場合に、パス整合パケットのパスＩＤ「１０３」と一致するパスＩＤがパスデータ管理テーブル２４５に存在するか否かを判定する。パスＩＤ「１０３」と一致するパスＩＤが、パスデータ管理テーブル２４５に存在するので、回線終端装置２００ｂは、パスＩＤ「１０３」に対応する相手ＩＰアドレスと、パス整合パケットのＩＰアドレスとが一致するか否かを判定する。
【０１３３】
相手ＩＰアドレス「１０．１０．１０．２」と、パス整合パケットのＩＰアドレスとが一致するので、回線終端装置２００ｂは、パスの整合が取れている旨の情報をＩＰネット終端装置３００ａに出力する。ＩＰネット終端装置３００ａは、回線終端装置２００ｂからパスの整合が取れている旨の情報を取得した場合には、パスデータ管理テーブル３４０ｂのパスＩＤ「１０３」に関する情報は適切であると判定できるので、回線終端装置２００ｂに対して、パスの整合が取れていない旨の情報を出力する。
【０１３４】
回線終端装置２００ａは、パスの整合が取れていない旨の情報を取得した場合には、パスＩＤ「１０３」に対応するエントリを、パスデータ管理テーブル２４０ｂから削除する。そして、回線終端装置２００ａは、パスＩＤ「１０３」のエントリを削除した旨の情報を制御部１１０に出力する。
【０１３５】
次に、本実施例１にかかるメディアゲートウェイ装置１００の処理手順について説明する。図１３は、本実施例にかかるメディアゲートウェイ装置１００の処理手順を示すフローチャート（回線終端装置２００ａとＩＰネット終端装置３００ａとの間でパスＩＤおよびＩＰアドレスが一致する場合）である。図１４は、メディアゲートウェイ装置１００の処理手順を示すフローチャート（回線終端装置２００ａとＩＰネット終端装置３００ａとの間でパスＩＤが一致しない場合）である。図１５および図１６は、メディアゲートウェイ装置１００の処理手順を示すフローチャート（回線終端装置２００ａとＩＰネット終端装置３００ａとの間でパスＩＤのみ一致する場合）である。また、図１３〜図１６では一例として、発信側の終端装置を回線終端装置２００ａとし、着信側の終端装置をＩＰネット終端装置３００ａとする。また、図１７および図１８は、制御部１１０がパス開放要求を取得した場合の処理手順を示すフローチャートである。
【０１３６】
まず、図１３に示すように、制御部１１０は、パス接続要求を取得し（ステップＳ１０１）、パスＩＤを捕捉する（ステップＳ１０２）。制御部１１０は、発信側パス接続情報を回線終端装置２００ａに出力し（ステップＳ１０３）、着信側パス接続情報をＩＰネット終端装置３００ａに出力する（ステップＳ１０４）。
【０１３７】
回線終端装置２００ａは、発信側パス接続情報を取得し（ステップＳ１０５）、ＳＤＨ部２１０、ＣＬＡＤ部２２０、ＩＰ変換部２３０を設定する（ステップＳ１０６）。ＩＰネット終端装置３００ａは、着信側パス接続情報を取得し（ステップＳ１０７）、ＩＰ変換部３１０、ＣＯＤＥＣ変換部３２０、ＲＴＰ変換部３３０を設定する（ステップＳ１０８）。
【０１３８】
続いて、回線終端装置２００ａは、パス整合パケットをＩＰネット終端装置３００ａに出力し（ステップＳ１０９）、ＩＰネット終端装置３００ａは、パス整合パケットを取得する（ステップＳ１１０）。
【０１３９】
ＩＰネット終端装置３００ａは、パスＩＤおよびＩＰアドレスをチェックし（ステップＳ１１１）、パスＩＤおよびＩＰアドレスが一致した場合に（ステップＳ１１２）、パスが整合した旨の情報を回線終端装置２００ａに出力し（ステップＳ１１３）、回線終端装置２００ａが、パスが整合した旨の情報を取得する（ステップＳ１１４）。
【０１４０】
次に、図１４に示すように、制御部１１０は、パス接続要求を取得し（ステップＳ２０１）、パスＩＤを捕捉する（ステップＳ２０２）。制御部１１０は、発信側パス接続情報を回線終端装置２００ａに出力し（ステップＳ２０３）、着信側パス接続情報をＩＰネット終端装置３００ａに出力する（ステップＳ２０４）。
【０１４１】
回線終端装置２００ａは、発信側パス接続情報を取得し（ステップＳ２０５）、ＳＤＨ部２１０、ＣＬＡＤ部２２０、ＩＰ変換部２３０を設定する（ステップＳ２０６）。ＩＰネット終端装置３００は、着信側パス接続情報を取得し（ステップＳ２０７）、ＩＰ変換部３１０、ＣＯＤＥＣ変換部３２０、ＲＴＰ変換部３３０を設定する（ステップＳ２０８）。
【０１４２】
続いて、回線終端装置２００ａは、パス整合パケットをＩＰネット終端装置３００ａに出力し（ステップＳ２０９）、ＩＰネット終端装置３００ａは、パス整合パケットを取得する（ステップＳ２１０）。
【０１４３】
ＩＰネット終端装置３００ａは、パスＩＤおよびＩＰアドレスをチャックし（ステップＳ２１１）、該当パスＩＤが存在しない場合に（ステップＳ２１２）、パスが整合していない旨の情報を回線終端装置２００ａに出力する（ステップＳ２１３）。
【０１４４】
回線終端装置２００ａは、パスが整合していない旨の情報を取得し（ステップＳ２１４）、該当パスＩＤに対応するエントリを開放し（ステップＳ２１５）、パス自律開放通知を制御部１１０に出力する（ステップＳ２１６）。制御部１１０は、パス自律開放通知を取得し（ステップＳ２１７）、該当するパスデータを開放する（ステップＳ２１８）。
【０１４５】
次に、図１５に示すように、制御部１１０は、パス接続要求を取得し（ステップＳ３０１）、パスＩＤを捕捉する（ステップＳ３０２）。制御部１１０は、発信側パス接続情報を回線終端装置２００ａに出力し（ステップＳ３０３）、着信側パス接続情報をＩＰネット終端装置３００ａに出力する（ステップＳ３０４）。
【０１４６】
回線終端装置２００ａは、発信側パス接続情報を取得し（ステップＳ３０５）、ＳＤＨ部２１０、ＣＬＡＤ部２２０、ＩＰ変換部２３０を設定する（ステップＳ３０６）。ＩＰネット終端装置３００ａは、着信側パス接続情報を取得し（ステップＳ３０７）、ＩＰ変換部３１０、ＣＯＤＥＣ変換部３２０、ＲＴＰ変換部３３０を設定する（ステップＳ３０８）。
【０１４７】
続いて、回線終端装置２００ａは、パス整合パケットをＩＰネット終端装置３００ａに出力し（ステップＳ３０９）、ＩＰネット終端装置３００ａは、パス整合パケットを取得する（ステップＳ３１０）。
【０１４８】
ＩＰネット終端装置３００ａは、パスＩＤおよびＩＰアドレスをチェックし（ステップＳ３１１）、該当パスＩＤのみ一致した場合に（ステップＳ３１２）、一致したパスＩＤに対応する発信側の回線終端装置を判定する（ステップＳ３１３）。ここでは、一例として、発信側の回線終端装置を、回線終端装置２００ｂとする。
【０１４９】
ＩＰネット終端装置３００ａは、パス整合パケットを回線終端装置２００ｂに出力し（ステップＳ３１４）、回線終端装置２００ｂは、パス整合パケットを取得する（ステップＳ３１５）。
【０１５０】
回線終端装置２００ｂは、パスＩＤおよびＩＰアドレスをチェックし（ステップＳ３１６）、パスＩＤおよびＩＰアドレスが一致した場合に（ステップＳ３１７）、パスが整合した旨の情報をＩＰネット終端装置３００ａに出力する（ステップＳ３１８）。
【０１５１】
ＩＰネット終端装置３００ａは、パスが整合した旨の情報を取得し（ステップＳ３１９）、パスが整合していない旨の情報を回線終端装置２００ａに出力する（ステップＳ３２０）。
【０１５２】
回線終端装置２００ａは、パスが整合していない旨の情報を取得し（ステップＳ３２１）、該当パスＩＤに対応するエントリを開放し（ステップＳ３２２）、パス自律開放通知を制御部１１０に出力する（ステップＳ３２３）。制御部１１０は、パス自律開放通知を取得し（ステップＳ３２４）、該当するパスデータを開放する（ステップＳ３２５）。
【０１５３】
次に、図１７に示すように、制御部１１０は、パス開放要求を取得し（ステップＳ４０１）、開放対象となるパスＩＤを抽出する（ステップＳ４０２）。制御部１１０は、パスの開放要求を回線終端装置２００ａに出力し（ステップＳ４０３）、回線終端装置２００ａは、パスの開放要求を取得する（ステップＳ４０４）。
【０１５４】
回線終端装置２００ａは、ＳＤＨ部２１０、ＣＬＡＤ部２２０、ＩＰ変換部２３０を解除し（ステップＳ４０５）、開放対象となるエントリを後方監視メモリ２５０に登録する（ステップＳ４０６）。
【０１５５】
回線終端装置２００ａは、パスの開放が完了した旨の情報を制御部１１０に出力し（ステップＳ４０７）、制御部１１０は、パスの開放が完了した旨の情報を取得する（ステップＳ４０８）。
【０１５６】
また、制御部１１０は、パスの開放要求をＩＰネット終端装置３００ａに出力し（ステップＳ４０９）、ＩＰネット終端装置３００ａは、パスの開放要求を取得する（ステップＳ４１０）。
【０１５７】
ＩＰネット終端装置３００ａは、ＩＰ変換部３１０、ＣＯＤＥＣ変換部３２０、ＲＴＰ変換部３３０を解除し（ステップＳ４１１）、開放対象となるエントリを後方監視メモリ３５０に登録する（ステップＳ４１２）。
【０１５８】
ＩＰネット終端装置３００ａは、パスの開放が完了した旨の情報を制御部１１０に出力し（ステップＳ４１３）、制御部１１０は、パスの開放が完了した旨の情報を取得する（ステップＳ４１４）。
【０１５９】
続いて、回線終端装置２００ａは、パス開放整合パケットをＩＰネット終端装置３００ａに出力し（ステップＳ４１５）、ＩＰネット終端装置３００ａは、パス開放整合パケットを取得する（ステップＳ４１６）。
【０１６０】
ＩＰネット終端装置３００ａは、後方監視メモリ３５０上のパスＩＤをチェックし、該当パスＩＤが存在するか否かを判定する（ステップＳ４１７）。後方監視メモリ３５０上に該当パスＩＤが存在する場合には（ステップＳ４１８，Ｙｅｓ）、後方監視メモリ３５０上の該当エントリを削除し、パス開放整合完了パケットを回線終端装置２００ａに出力し（ステップＳ４１９）、ステップＳ４２４に移行する。
【０１６１】
一方、後方監視メモリ３５０上に該当パスＩＤが存在しない場合には（ステップＳ４１８，Ｎｏ）、ＩＰネット終端装置３００ａは、パスデータ管理テーブル３４０ｂ上に該当パスＩＤが存在し、かつ対応するＩＰアドレスが一致するか否かを判定する（ステップＳ４２０）。
【０１６２】
条件を満たす場合には（ステップＳ４２１，Ｙｅｓ）、該当エントリをパスデータ管理テーブル３４０ｂから削除し、パス開放整合完了パケットを回線終端装置２００ａに出力する（ステップＳ４２２）。
【０１６３】
一方、条件を満たさない場合には（ステップＳ４２１，Ｎｏ）、パス開放整合完了パケットを回線終端装置２００ａに出力する（ステップＳ４２３）。回線終端装置２００ａは、パス開放整合完了パケットを取得し（ステップＳ４２４）、後方監視メモリ２５０上の該当エントリを削除する（ステップＳ４２５）。
【０１６４】
上述してきたように、本実施例１にかかるメディアゲートウェイ装置１００は、メディアゲートウェイ装置１００に含まれる各終端装置（回線終端装置２００ａ，２００ｂ、ＩＰネット終端装置３００ａ，３００ｂ）が自律的に、パス整合パケットを送受信することで、パスの整合を取るので、従来技術のように制御部１１０に、パス整合にかかる処理が集中してしまうことを防止し、各種サービスに悪影響（混線や誤課金などのサービスへの悪影響）を与えてしまうといった問題を解消することができる。
【０１６５】
また、本実施例１にかかるメディアゲートウェイ装置１００は、パスデータ管理部２６０ａ（あるいは、パスデータ管理部３６０ａ）が、発信側パス接続情報を取得した場合に、一定時間後に、パス整合パケットを、接続確認先に出力するので、着信側パス接続情報が、接続確認先に到達する前に、パス整合パケットを出力することを防止することができる。
【０１６６】
また、本実施例１にかかるメディアゲートウェイ装置１００は、パスデータ管理部２６０ａ（あるいは、パスデータ管理部３６０ａ）が、パスの整合が取れていない旨の情報を取得した後に、一定時間後にパス整合パケットを再送するので、着信側パス接続情報が接続確認先に到達する前に、パス整合パケットを誤って出力してしまった場合でも、パスの整合が取れているか否かを正確に判定することができる。
【０１６７】
また、本実施例１にかかるメディアゲートウェイ装置１００は、パスデータ監視部２６０ｂ（あるいは、パスデータ監視部３６０ｂ）が、一定時間毎に、パスデータ管理テーブル２４０ｂ，３４０ｂからエントリを順次選択し、選択したエントリの整合が取れているか否かをパス整合パケットを宛先に出力することにより実行するので、パスデータ管理テーブル２４０ｂ，３４０ｂから整合の取れていないエントリを排除することができる。
【実施例２】
【０１６８】
さて、これまで本発明の実施例について説明したが、本発明は上述した実施例１以外にも種々の異なる形態にて実施されてよいものである。そこで、以下では実施例２として、本発明に含まれる他の実施例を説明する。
【０１６９】
（１）パスデータ監視部の処理について
例えば、上記の実施例１では、パスデータ監視部２６０ｂ（パスデータ監視部３６０ｂも同様）は、パスデータ管理テーブル２４０ｂに含まれる各エントリを一定の時間毎に選択し、選択したエントリの整合が取れているか否かを判定していたが、これに限定されるものではない。
【０１７０】
パスデータ監視部２６０ｂは、パスＩＤの使用回数をカウントし、パスＩＤの使用回数が所定回数（例えば、１０回）に達した場合に、所定回数に達したパスＩＤのエントリを選択し、選択したエントリの整合が取れているか否かを判定しても良い。エントリの整合が取れているか否かの判定方法は、上記の実施例１と同様にして、パス整合パケットを宛先に送信する。
【０１７１】
パスデータ監視部２６０ｂは、各パスＩＤの初期値を０とし、制御部１１０から発信側パス接続情報および着信側パス接続情報を取得した場合に、取得した発信側パス接続情報および着信側パス接続情報に含まれるパスＩＤに対応するパスＩＤの使用回数に所定値（例えば、１）を加算する。
【０１７２】
例えば、パスデータ監視部２６０ｂは、制御部１１０から発信側パス接続情報を取得し、取得した発信側パス接続情報に含まれるパスＩＤがパスＩＤ「１００」の場合には、パスＩＤ「１００」の使用回数に１を加算する。
【０１７３】
このように、パスデータ監視部２６０ｂは、パスＩＤの使用回数に基づいて、パスの接続確認を実行するので、不要なパスの接続確認の実行回数を減らし、回線終端装置２００ａ，２００ｂ、ＩＰネット終端装置３００ａ，３００ｂの処理負荷を軽減させることができる。
【０１７４】
ところで、上記の実施例１では、パスデータ監視部２６０ｂ（パスデータ監視部３６０ｂも同様）は、パスデータ管理テーブル２４０ｂに含まれる各エントリを一定の時間毎に選択していたが、過去の接続確認結果（整合が取れているか否かの確認結果）に応じて、次回接続確認を実行する期間（周期）を調整しても良い。
【０１７５】
パスデータ監視部２６０ｂは、パスデータ管理テーブル２４０ｂの各エントリに対する接続確認を一巡実行し、不整合となるパスが一つも無かった場合に、次回接続確認を実行するまでの期間を前回の期間のｎ倍（例えば、２倍）にする。
【０１７６】
例えば、パスデータ監視部２６０ｂは、前回の期間が１秒に設定されている場合には、接続確認を１秒間隔で実行する。そして、接続確認を一巡行い、不整合となるパスが一つも無かった場合には、期間を２倍にする（期間を２秒に設定する）。また、期間が２秒に設定されている状態で、接続確認を一巡し、不整合となるパスが一つも無かった場合には、期間を更に２倍にする（周期を４秒に設定する）。
【０１７７】
一方、パスデータ監視部２６０ｂは、パスデータ管理テーブル２４０ｂの各エントリに対する接続確認を一巡実行し、不整合となるパスが一つでも発見された場合には、次回接続確認を実行するまでの期間を前回の期間の１／ｎ倍（例えば、１／２倍）にする。ただし、前回の期間が１秒である場合には、１秒のままにする。
【０１７８】
例えば、パスデータ監視部２６０ｂは、前回の期間が４秒に設定されている場合には、接続確認を４秒間隔で実行する。そして、接続確認を一巡行い、不整合となるパスが一つでも発見された場合には、期間を１／２倍にする（期間を２秒に設定する）。
【０１７９】
なお、パスデータ監視部２６０ｂは、不整合となるパスを連続して検出した場合には、前回の期間に関わらず、期間を初期値（１秒）に設定しても良い。
【０１８０】
このように、パスデータ監視部２６０ｂは、過去の接続確認の結果に基づいて、次回接続確認を実行する期間を調整するので、効率的に接続確認を実行することができる。
【０１８１】
（２）システム構成等
また、本実施例において説明した各種の処理のうち、自動的に行われるものとして説明した処理の全部または一部を手動的に行うこともでき、あるいは、手動的に行われるものとして説明した処理の全部または一部を公知の方法で自動的に行うこともできる。この他、上記文書中や図面中で示した処理手順、制御手順、具体的名称、各種のデータやパラメータを含む情報については、特記する場合を除いて任意に変更することができる。
【０１８２】
また、図２に示した回線終端装置２００ａ（２００ｂ）、図７に示したＩＰネット終端装置３００ａ（３００ｂ）の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。さらに、各装置にて行われる各処理機能は、その全部または任意の一部がＣＰＵおよび当該ＣＰＵにて解析実行されるプログラムにて実現され、あるいは、ワイヤードロジックによるハードウェアとして実現され得る。
【０１８３】
図１９は、実施例にかかる回線終端装置２００ａを構成するコンピュータ３０のハードウェア構成を示す図であり、図２０は、本実施例にかかるＩＰネット終端装置３００ａを構成するコンピュータ４０のハードウェア構成を示す図である。
【０１８４】
まず、図１９に示すように、このコンピュータ（回線終端装置）３０は、ＳＤＨ装置３１と、ＣＬＡＤ装置３２と、ＩＰ変換装置３３と、メモリ３４と、後方監視メモリ３５と、インターフェース３６と、ＣＰＵ（Central  Processing  Unit）３７と、ＨＤＤ（Hard  Disk  Drive）３８をバス３９で接続している。
【０１８５】
ここで、ＳＤＨ装置３１、ＣＬＡＤ装置３２、ＩＰ変換装置３３、メモリ３４、後方監視メモリ３５は、それぞれ、図２に示したＳＤＨ部２１０、ＣＬＡＤ部２２０、ＩＰ変換部２３０、記憶部２４０、後方監視メモリ２５０に対応する。インターフェース３６は、制御部１１０との間におけるデータの送受信を制御する装置である。
【０１８６】
そして、ＨＤＤ３８には、上記した回線終端装置２００ａと同様の機能を発揮するパス設定プログラム３８ａが記憶されている。ＣＰＵ３７が、パス設定プログラム３８ａを読み出して実行することにより、パス設定プロセス３７ａが起動される。ここで、パス設定プロセス３７ａは、図２に示したパスデータ管理部２６０ａ、パスデータ監視部２６０ｂ、データ設定部２６０ｃに対応する。
【０１８７】
メモリ３４は、図２のＩＰアドレス２４０ａ、パスデータ管理テーブル２４０ｂに対応する各種データ３４ａを記憶する。ＣＰＵ３７は、メモリ３４に記憶された各種データ３４ａを基にして、パスの整合が取れているか否かを判定する。
【０１８８】
続いて、図２０に示すように、このコンピュータ（ＩＰネット終端装置）４０は、ＩＰ変換装置４１と、ＣＯＤＥＣ変換装置４２と、ＲＴＰ変換装置４３と、メモリ４４と、後方監視メモリ４５と、インターフェース４６と、ＣＰＵ４７と、ＨＤＤ４８とをバス４９で接続している。
【０１８９】
ここで、ＩＰ変換装置４１、ＣＯＤＥＣ変換装置４２、ＲＴＰ変換装置４３、メモリ４４、後方監視メモリ４５は、それぞれ、図７に示したＩＰ変換部３１０、ＣＯＤＥＣ変換部３２０、ＲＴＰ変換部３３０、記憶部３４０、後方監視メモリ３５０に対応する。インターフェース４６は、制御部１１０との間におけるデータの送受信を制御する装置である。
【０１９０】
そして、ＨＤＤ４８には、上記したＩＰネット終端装置３００ａと同様の機能を発揮するパス設定プログラム４８ａが記憶されている。ＣＰＵ４７が、パス設定プログラム４８ａを読み出して実行することにより、パス設定プロセス４７ａが起動される。ここで、パス設定プロセス４７ａは、図７に示したパスデータ管理部３６０ａ、パスデータ監視部３６０ｂ、データ設定部３６０ｃに対応する。
【０１９１】
メモリ４４は、図７のＩＰアドレス３４０ａ、パスデータ管理テーブル３４０ｂに対応する各種データ４４ａを記憶する。ＣＰＵ４７は、メモリ４４に記憶された各種データ４４ａを基にして、パスの整合が取れているか否かを判定する。
【０１９２】
ところで、図１９に示したパス設定プログラム３８ａ、図２０に示したパス設定プログラム４８ａは、必ずしも最初からＨＤＤ３８，４８に記憶させておく必要はない。たとえば、コンピュータに挿入されるフレキシブルディスク（ＦＤ）、ＣＤ−ＲＯＭ、ＤＶＤディスク、光磁気ディスク、ＩＣカードなどの「可搬用の物理媒体」、または、コンピュータの内外に備えられるハードディスクドライブ（ＨＤＤ）などの「固定用の物理媒体」、さらには、公衆回線、インターネット、ＬＡＮ、ＷＡＮなどを介してコンピュータに接続される「他のコンピュータ（またはサーバ）」などにパス設定プログラム３８ａ、パス設定プログラム４８ａを記憶しておき、コンピュータがこれらからパス設定プログラム３８ａ、パス設定プログラム４８ａを読み出して実行するようにしてもよい。
【０１９３】
以上の実施例を含む実施形態に関し、更に以下の付記を開示する。
【０１９４】
（付記１）第１の通信装置に接続された非ＩＰ網を終端する複数の第１終端手段と、
第２の通信装置に接続されたＩＰ網を終端する複数の第２終端手段と、
前記第１終端手段に接続先となる第２終端手段のパス接続情報を出力し、前記第２終端手段に接続先となる第１終端手段のパス接続情報を出力することにより、前記第１の通信装置と前記第２の通信装置との呼を接続する接続手段とを備え、
前記第１終端手段は、前記パス接続情報を取得した場合に、接続先となる第２終端手段に対して接続確認を実行し、
前記第２終端手段は、前記パス接続情報を取得した場合に、接続先となる第１終端手段に対して接続確認を実行する
ことを特徴とするパス制御装置。
【０１９５】
（付記２）前記第１終端手段に出力されるパス接続情報は、パスＩＤおよび接続先となる第２終端手段のアドレスを含み、前記第１終端手段は、接続先となる第２終端手段に、前記パス接続情報に含まれるパスＩＤおよび前記第１終端装置のアドレスを格納した整合パケットを出力することにより、接続確認を実行し、前記第２終端手段に出力されるパス接続情報は、パスＩＤおよび接続先となる第１終端手段のアドレスを含み、前記第２終端手段は、接続先となる第１終端手段に、前記パス接続情報に含まれるパスＩＤおよび前記第２終端手段のアドレスを格納した整合パケットを出力することにより、接続確認を実行することを特徴とする付記１に記載のパス制御装置。
【０１９６】
（付記３）前記第１終端手段に接続を解除する第２終端手段の情報を接続解除情報として出力し、前記第２終端手段に接続を解除する第１終端手段の情報を接続解除情報として出力することにより、前記通信装置間の呼を切断する切断手段を更に備えたことを特徴とする付記１または２に記載のパス制御装置。
【０１９７】
（付記４）前記第１終端手段および前記第２終端手段は、前記パス接続情報を取得してから所定時間経過した後に、接続確認を実行することを特徴とする付記１、２または３に記載のパス制御装置。
【０１９８】
（付記５）前記第１終端手段および前記第２終端手段は、前記接続手段から出力される複数のパス接続情報をパステーブルに登録し、当該パステーブルに登録されたパス接続情報を所定時間ごとに順次抽出し、抽出したパス接続情報に基づいて接続確認を実行することを特徴とする付記１〜４のいずれか一つに記載のパス制御装置。
【０１９９】
（付記６）前記第１終端手段および前記第２終端手段は、前記パス接続情報に含まれるパスＩＤの使用回数をカウントし、使用回数が所定回数に達したパスＩＤに対応する接続先に接続確認を実行することを特徴とする付記２〜５のいずれか一つに記載のパス制御装置。
【０２００】
（付記７）前記第１終端手段および前記第２終端手段は、接続確認を実行して接続できなかった場合には、所定時間経過した後に、再度接続確認を実行することを特徴とする付記１〜６のいずれか一つに記載のパス制御装置。
【０２０１】
（付記８）前記第１終端手段および前記第２終端手段は、接続先に接続確認を行い、接続確認の結果に基づいて、次回接続確認を実行するまでの期間を調整することを特徴とする付記１〜７のいずれか一つに記載のパス制御装置。
【０２０２】
（付記９）第１の通信装置に接続された非ＩＰ網を終端する複数の第１終端装置と、第２の通信装置に接続されたＩＰ網を終端する複数の第２終端装置とを備えたパス制御装置が、
前記第１終端装置に接続先となる第２終端装置のパス接続情報を出力し、前記第２終端装置に接続先となる第１終端装置のパス接続情報を出力するステップと、
前記第１終端装置が、前記パス接続情報を取得した場合に、接続先となる第２終端装置に対して接続確認を実行するステップと、
前記第２終端装置が、前記パス接続情報を取得した場合に、接続先となる第１終端装置に対して接続確認を実行するステップと、
を含んだことを特徴とするパス接続方法。
【図面の簡単な説明】
【０２０３】
【図１】、本実施例１にかかるメディアゲートウェイ装置の概要を説明するための図である。
【図２】本実施例１にかかる回線終端装置のブロック図である。
【図３】本実施例１にかかるパスデータ管理テーブルのデータ構造の一例を示す図である。
【図４】本実施例１にかかる後方監視メモリのデータ構造の一例を示す図である。
【図５】本実施例１にかかる発信側パス接続情報のデータ構造の一例を示す図である。
【図６】本実施例１にかかる着信側パス接続情報のデータ構造の一例を示す図である。
【図７】本実施例１にかかるＩＰネット終端装置のブロック図である。
【図８】正常にパスが接続されているパスデータ管理テーブルの状態を示す図である。
【図９】パス開放要求を取得した場合のパス管理テーブルの状態を説明するための図（１）である。
【図１０】パス開放要求を取得した場合のパス管理テーブルの状態を説明するための図（２）である。
【図１１】パス開放要求を取得した場合のパス管理テーブルの状態を説明するための図（３）である。
【図１２】各終端装置間で実行するパスデータ管理テーブルの整合処理を説明する図である。
【図１３】本実施例にかかるメディアゲートウェイ装置の処理手順を示すフローチャート（１）である。
【図１４】メディアゲートウェイ装置の処理手順を示すフローチャート（２）である。
【図１５】メディアゲートウェイ装置の処理手順を示すフローチャート（３）である。
【図１６】メディアゲートウェイ装置の処理手順を示すフローチャート（４）である。
【図１７】制御部がパス開放要求を取得した場合の処理手順を示すフローチャート（１）である。
【図１８】制御部がパス開放要求を取得した場合の処理手順を示すフローチャート（２）である。
【図１９】実施例にかかる回線終端装置を構成するコンピュータのハードウェア構成を示す図である。
【図２０】本実施例にかかるＩＰネット終端装置を構成するコンピュータのハードウェア構成を示す図である。
【図２１】従来のメディアゲートウェイ装置の構成を示す図である。
【符号の説明】
【０２０４】
１０，１００    メディアゲートウェイ装置
１１，１１０，２６０，３６０    制御部
１２，１２０    Ｌ２スイッチ
１３ａ，１３ｂ，２００ａ，２００ｂ  回線終端装置
１４ａ，１４ｂ，３００ａ，３００ｂ  ＩＰネット終端装置
２１０    ＳＤＨ部
２２０    ＣＬＡＤ部
２３０，３１０    ＩＰ変換部
２４０    記憶部
２４０ａ，３４０ａ  ＩＰアドレス
２４０ｂ，２４５，３４０ｂ，３４５  パスデータ管理テーブル
２５０，３５０    後方監視メモリ
２６０ａ，３６０ａ  パスデータ管理部
２６０ｂ，３６０ｂ  パスデータ監視部
２６０ｃ，３６０ｃ  データ設定部
３２０    ＣＯＤＥＣ変換部
３３０，３４０    ＲＴＰ変換部
【図１】
0005018658.tif 000002
【図２】
0005018658.tif 000003
【図３】
0005018658.tif 000004
【図４】
0005018658.tif 000005
【図５】
0005018658.tif 000006
【図６】
0005018658.tif 000007
【図７】
0005018658.tif 000008
【図８】
0005018658.tif 000009
【図９】
0005018658.tif 000010
【図１０】
0005018658.tif 000011
【図１１】
0005018658.tif 000012
【図１２】
0005018658.tif 000013
【図１３】
0005018658.tif 000014
【図１４】
0005018658.tif 000015
【図１５】
0005018658.tif 000016
【図１６】
0005018658.tif 000017
【図１７】
0005018658.tif 000018
【図１８】
0005018658.tif 000019
【図１９】
0005018658.tif 000020
【図２０】
0005018658.tif 000021
【図２１】
0005018658.tif 000022